(57)【要約】【課題】狭い接続空間であっても簡単にコネクター接続を可能とし、外力によりコネクター接続が抜け外れる虞の無いコネクター接続装置を提供する。【解決手段】実施形態のコネクター接続装置は、高さ方向に高さを有する電子機器筐体と、前記電子機器筺体の底面基板に設けられた第１コネクターと接続するために、その長手方向のフレーム端部に第２コネクターが取り付けられるフレーム部品と、前記第２コネクターを前記長手方向のフレーム端部に取り外し可能に固定するコネクター固定板バネ部と、前記フレーム部品部の幅広面に設けられ、前記第２コネクターに接続されるコネクターケーブルを保持する複数のケーブル保持部材と、を備えたことを特徴とする。【選択図】図２
2014197484.tif 000002
【特許請求の範囲】
【請求項１】
高さ方向に高さを有する電子機器筐体の底面基板に設けられた第１コネクターと接続するために、前記高さ方向を長手方向とするフレーム端部に第２コネクターが取り付けられるフレーム部品と、
前記第２コネクターを前記長手方向のフレーム端部に取り外し可能に固定するコネクター固定板バネ部品と、
前記フレーム部品の幅広面に設けられ、前記第２コネクターに接続されるコネクターケーブルを保持するケーブル保持部材と、
を備えたことを特徴とするコネクター接続装置。
【請求項２】
前記コネクター固定バネ部品は、前記フレーム部品の両側部で前記第２コネクターを保持する“く”の字状の向かい合うアーム部を有することを特徴とする請求項１に記載のコネクター接続装置。
【請求項３】
前記第２コネクターは、前記コネクターケーブルが接続される水平ブロックと、前記第１コネクターと接続する垂直ブロックとで構成され、
前記コネクター固定バネ部品は、前記垂直ブロックが突出する孔と、前記孔の両側から前記水平ブロックと当接して前記アーム部内に挟み込む当接部とを有することを特徴とする請求項１又は２に記載のコネクター接続装置。
【請求項４】
前記コネクター固定バネ部品の前記“く”の字状の向かい合うアーム部に引っ掛け部が設けられ、
コネクター固定バネ部品の前記当接部と前記フレーム部品の最先端部との間に前記水平ブロックを挟持した状態で、前記引っ掛け部をフレーム部品のサイド孔に係止して前記第２コネクターを固定することを特徴とする請求項３に記載のコネクター接続装置。
【請求項５】
前記ケーブル保持部材は、前記コネクターケーブルを前記フレーム部品の前記幅広面で抱き合わせて保持する少なくとも１対の抱き合わせ片であることを特徴とする請求項１に記載のコネクター接続装置。
【請求項６】
前記フレーム部品部の前記長手方向の反対側の端部に取り付けられる固定ネジを更に有し、
前記固定ネジは前記電子機器筐体の側壁にねじ込まれることを特徴とする請求項１に記載のコネクター接続装置。
【請求項７】
高さ方向に高さを有する電子機器筐体と、
前記電子機器筺体の底面基板に設けられた第１コネクターと、
前記第１コネクターと接続するコネクター接続装置と、
を具備し、
前記コネクター接続装置は、
前記第１コネクターと接続するために、前記高さ方向を長手方向とするフレーム端部に第２コネクターが取り付けられるフレーム部品と、
前記第２コネクターを前記長手方向のフレーム端部に取り外し可能に固定するコネクター固定板バネ部品と、
前記フレーム部品の幅広側の側面に設けられ、前記第２コネクターに接続されるコネクターケーブルを保持するケーブル保持部材と、
を備えたことを特徴とするコネクター接続装置を有する電子機器筐体。
【発明の詳細な説明】
【技術分野】
【０００１】
本発明の実施形態は、筺体のコネクターに挿脱可能に接続するコネクター接続装置及び同装置を有する電子機器筐体に関する。
【背景技術】
【０００２】
従来、電子機器内の基板に取り付けられたコネクターに外部信号ケーブルを接続する際には、コネクター周辺の記憶装置や、ドライバ装置などの電子部品を取り外し、コネクターを直接嵌挿するものであった。
【０００３】
即ち、電子機器筐体内に実装される電子部品（例えば、記憶部品、ドライバ部品、増設基板）等の配置によっては部品の間隔が狭く、コネクターの挿入が困難であり、抜却時にケーブルに負荷をかけ、破損する恐れがある。また、同じ状況でコネクターの接続部へ嵌挿する為に、位置を調整し、揺動しながら押圧する必要がある。さらに、コネクター嵌合後に外部信号ケーブルに不慮の外力が作用し、振動によりコネクター接続部が摩耗し、雄コネクターが雌コネクターから抜け外れる等の問題があった。
【０００４】
電子機器筐体の組立作業では、外部信号ケーブルを最初の工程で取り付けると、長いケーブルが邪魔をして組立効率が悪くなる。そのため、殆どの組立工程が完了した最後の方の工程で、マザーボート上のコネクターに外部信号ケーブルを取り付ける作業が行われている。しかしながら、高さ方向に高さを有する電子機器筐体では、外部信号ケーブルを接続するコネクター周辺に沢山の電子部品が密集した状態となるため、手作業で外部信号ケーブルをコネクターに接続するのは困難であった。
【先行技術文献】
【特許文献】
【０００５】
【特許文献１】特許４４４１７５９号公報
【発明の概要】
【発明が解決しようとする課題】
【０００６】
本発明が解決しようとする課題は、狭い接続空間であっても簡単にコネクター接続を可能とし、外力によりコネクター接続が抜ける虞の無いコネクター接続装置及び同装置を有する電子機器筐体を提供することを目的とする。
【課題を解決するための手段】
【０００７】
本実施形態に係るコネクター接続装置は、高さ方向に高さを有する電子機器筐体の底面基板に設けられた第１コネクターと接続するために、前記高さ方向を長手方向とするフレーム端部に第２コネクターが取り付けられるフレーム部品と、前記第２コネクターを前記長手方向のフレーム端部に取り外し可能に固定するコネクター固定板バネ部品と、前記フレーム部品の幅広面に設けられ、前記第２コネクターに接続されるコネクターケーブルを保持するケーブル保持部材と、を備えたことを特徴とする。
【０００８】
本実施形態に係るコネクター接続装置を有する電子機器筐体は、高さ方向に高さを有する電子機器筐体と、前記電子機器筺体の底面基板に設けられた第１コネクターと、
前記第１コネクターと接続するコネクター接続装置と、を具備し、前記コネクター接続装置は、前記第１コネクターと接続するために、前記高さ方向を長手方向とするフレーム端部に第２コネクターが取り付けられるフレーム部品と、前記第２コネクターを前記長手方向のフレーム端部に取り外し可能に固定するコネクター固定板バネ部品と、前記フレーム部品の幅広側の側面に設けられ、前記第２コネクターに接続されるコネクターケーブルを保持するケーブル保持部材と、を備えたことを特徴とする。
【発明の効果】
【０００９】
本発明の実施形態によれば、狭い接続空間であっても簡単にコネクター接続を行うことができる。また、外力によりコネクター接続が抜け外れる虞が無い。
【図面の簡単な説明】
【００１０】
【図１】実施形態に係るコネクター接続装置を電子機器筐体の基板上のコネクターに接続する直前の斜視図である。
【図２】実施形態に係るコネクター接続装置を電子機器筐体の基板上のコネクターに接続している使用状態を示す斜視図である。
【図３】実施形態に係るコネクター接続装置を示した図であり、（ａ）は表面から見た斜視図、（ｂ）は裏面から見た斜視図である。
【図４】実施形態に係るコネクター接続装置を示した図であり、（ａ）は正面図、（ｂ）はその側面図である。
【図５】実施形態に係るコネクター接続装置を示した図であり、（ａ）は裏側から見た正面図、（ｂ）はそのＡ−Ａ断面図である。
【図６】実施形態に係るコネクター接続装置を示した図であり、（ａ）は上側から見た側面図、（ｂ）は下側からみた側面図である。
【図７】実施形態に係るコネクター接続装置のフレーム部品だけを示す図であり、（ａ）は正面図、（ｂ）は側面図、（ｃ）は上側から見た側面図、（ｄ）は下側から見た側面である。
【図８】実施形態に係るコネクター接続装置のコネクター固定板バネ部品を示す図であり、（ａ）は正面図、（ｂ）は側面図、（ｃ）は上側から見た側面図、（ｄ）は下側から見た側面である。
【発明を実施するための形態】
【００１１】
以下、図面を参照して本発明の実施形態について説明する。
図１乃至図８は、実施形態に係るコネクター接続装置およびコネクター接続装置を有する電子機器筐体の構成を示す図であり、図１はコネクター接続装置を電子機器筐体のコネクターに接続する直前の図である。図２は、コネクター接続装置を電子機器筐体のコネクターに接続して使用状態を示す図である。図３（ａ）は、コネクター接続装置の表面から見た斜視図、（ｂ）は裏面から見た斜視図である。図４（ａ）は、コネクター接続装置の正面図、（ｂ）はその側面図である。図５（ａ）は、コネクター接続装置の裏側から見た正面図、（ｂ）はそのＡ−Ａ断面図である。図６（ａ）は、コネクター接続装置の上側から見た側面図、（ｂ）は下側からみた側面図である。図７は、コネクター接続装置のフレーム部品を示す図であり、（ａ）は正面図、（ｂ）は側面図、（ｃ）は上側から見た側面図、（ｄ）は下側から見た側面である。図８は、コネクター接続装置のコネクター固定板バネ部品だけを示す図であり、（ａ）は正面図、（ｂ）は側面図、（ｃ）は上側から見た側面図、（ｄ）は下側から見た側面である。以下では、図１乃至図８を適宜用いて説明するもので、個別の重複した説明は省略する。
【００１２】
実施形態のコネクター接続装置１００は、電子機器の筐体２００内の底面等に設けられるマザーボード基板２１０の端部に取り付けられる第１コネクター２２０（例えば、雌側コネクター）と接続する第２コネクター１１０（例えば、雄側コネクター）が端部に取り付けられ、筐体２００の上面から簡単に挿抜することのできる構造を有している。コネクター接続装置１００の材質は、金属に限らず、材質自体に曲がり特性を持てるナイロン製品でも良い。
【００１３】
即ち、実施形態のコネクター接続装置１００には、基板上２１０の第１コネクター２２０の接続相手である第２コネクター１１０を持つコネクターケーブル１２０が取り付けられている。コネクター接続装置１００の上端を持ち、挿入操作又は引抜操作を行うことにより、コネクターケーブル１２０の端部に接続される第２コネクター１１０と基板２１０上の第１コネクター２２０との間で簡単に挿抜することができる。
【００１４】
電子機器の筐体２００は、例えば立方体や長方体の形状をなし、高さ方向（Ｚ方向）に所定の高さを有するもので、ここでは筐体上面から手が届きにくい高さを有するものとする。筐体２００は、立方体や長方体以外の形状であってよく、高さ方向に高さを有する筐体であれば、特にその形状を問うものではない。したがって、コネクター接続装置１００も、筐体２００の高さに合わせて、その長さが設定されている。また、図１，２では、第１コネクター２２０の周辺の電子部品・デバイス部品を省略しているが、第１コネクター２２０の周辺の基板２１０上には他の電子部品・デバイス部品が実装されており、手操作にて第１コネクター２２０に第２コネクター１１０を挿抜するスペースがない状態でも、このコネクター接続装置１００が適用される。
【００１５】
次に、図３乃至図８の図面を参照して、コネクター接続装置１００の構造について説明する。コネクター接続装置１００は、ボディ部が断面コ字状のフレーム部品１１５の長手方向の端部に第２コネクター１１０が取り付けられるものである。フレーム部品１１５の長手方向は、筐体２００の高さ方向となる。フレーム部品１１５の幅広面１１５ａには、第２コネクター１１０が接続される外部信号ケーブルであるコネクターケーブル１２０が保持されている。
【００１６】
コネクター接続装置１００は、大きく３つの機構部からなる。第１は、フレーム部品１１５の端部に取り付けられる第２コネクター１１０の取付機構部。第２は、フレーム部品１１５の幅広面１１５に形成されるコネクターケーブル１２０の保持機構部。第３は、フレーム部品１１５の反対側の端部に取り付けられる固定機構部である。以下に、各機構部について説明する。
【００１７】
先ず、フレーム部品１１５の端部に取り付けられる第２コネクター１１０の取付機構部について説明する。
図３及び図４に示すように、コネクターケーブル１２０の先端には第２コネクター１１０が接続されている。第２コネクター１１０は、コネクターケーブル１２０と接続し筐体２００のマザーボード基板２１０に平行な矩形体のブロック１１０ａと、基板２１０に垂直な矩形体のブロック１１０ｂとを有している。この垂直ブロック１１０ｂに設けられる接線端子が基板２１０側の第１コネクター２２０に嵌入されることで、第１コネクター２２０とコネクター接続装置１００の第２コネクター１１０が接続される。第２コネクター１１０は、例えばＳＡＴＡコネクターである。勿論、それ以外のコネクターにも対応可能である。
【００１８】
第２コネクター１１０をフレーム部品１１５の端部に固定するためにコネクター固定バネ部品１３０が設けられている。コネクター固定バネ部品１３０は、図８に示す形状を有している。即ち、コネクター固定バネ部品１３０は、両側から向かい合う“く”の字状のアーム部１３０ａ，１３０ｂと、第２コネクター１１０の水平ブロックと当接する当接部１３０ｃとを有している。“く”の字状のアーム部１３０ａ，１３０ｂの折り曲げ部には、引っ掛け部１３０ａ１、１３０ｂ１が形成されており、図５に示すように、これがコ字状のフレーム部品１１５の内側に挿入されて、フレーム部品１１５の狭幅側面のサイド孔１４０ａ，１４０ｂに係止される。また、コネクター固定バネ部品１３０の当接部１３０ｃには、第２コネクター１１０の水平ブロック１１０ａが当接している。そして、水平ブロック１１０ａは、当接部１３０ｃとアーム部１３０ａ，１３０ｂの内側に挟み込まれた状態となる。また、コネクター固定バネ部品１３０の当接部１３０ｃの中央部には、第２コネクター１１０の垂直ブロック１１０ｂを突出させる孔１３０ｄが設けられている。よって、コネクター固定バネ部品１３０は、孔１３０ｄから垂直ブロック１１０ｂを突出した状態で、水平ブロック１１０ａを孔１３０ｄの両側から挟むようにして、フレーム部品１１５の最端部に取り付けられる。
【００１９】
図３又は図４又は図５に示すように、第２コネクター１１０の水平ブロック１１０ａの反対側（垂直ブロック１１０ｂではない方）の面は、フレーム部品１１５の最端部１５０に当接している。フレーム部品１１５の最端部１５０は、図７に示すように垂直ブロック１１０ａの長さを有して、内側にＬ字状に折り曲げられた形状を有しており、その板バネ形状にて第２コネクター１１０を下側（垂直ブロック１１０ｂ側）に押す作用を有している。そして、コネクター固定バネ部品１３０の当接部１３０ｃとフレーム部品１１５の最端部１５０との間に第２コネクター１１０の水平ブロック１１０ａを挟持した状態で、コネクター固定バネ部品１３０のアーム部１３０ａ，１３０ｂの引っ掛け部１３０ａ１、１３０ｂ１をフレーム部品１１５のサイド孔１４０ａ，１４０ｂに係止することで、第２コネクター１１０がフレーム部品１１５の最端部で固定される。第２コネクター１１０の取り外しに際しても、コネクター固定板バネ部品１３０のバネアクションにより、簡単に取り外すことができる。
【００２０】
このように、実施形態のコネクター接続装置１００は、コネクター固定バネ部品１３０のアーム部１３０ａ，１３０ｂの“く”の字形状により、コネクターケーブル１２０に余分な外力を掛け過ぎず、また第２コネクター１１０の挿入向きの誤差を吸収しつつ、第２コネクター１１０の挿入を可能とする。また、コネクターケーブル１２０を固定するアーム部１３０ａ，１３０ｂの“く”の字の形状により、接続状態における接触安定性を維持することができる。
【００２１】
次に、フレーム部品１１５の幅広面１１５ａに形成されるコネクターケーブル１２０の保持機構部について説明する。図３又は図４に示すように、コネクターケーブル１２０の第２コネクター１１０側の端部は、ケーブルが外側に引き出されるため、そのままにするとケーブルが邪魔になる。また、誤ってコネクターケーブル１２０を引っ張ったりすると、コネクター固定バネ部品１３０を破損する虞がある。そこで、フレーム部品１１５の幅広面１１５ａの中央下に１対の抱き合わせ片１６０ａ，１６ｂを設けている。ここでは、１対の抱き合わせ片１６０ａ，１６ｂを設けるとしたが、３つ以上の抱き合わせ片を千鳥状に配置しても良い。
【００２２】
この抱き合わせ片１６０ａ，１６ｂは、コネクターケーブル１２０を両側からフレーム部品１１５の幅広面１１５ａに抱き合わせるように保持する。抱き合わせ片１６０ａ，１６ｂは、フレーム部品１１５の該当箇所を切断・成形することで、コネクターケーブル１２０の肉厚を有するケーブル保持部を簡単に作成することができる。この抱き合わせ片１６０ａ，１６ｂにコネクターケーブル１２０を側面から挿入することにより、コネクターケーブル１２０のコネクター側端部が湾曲部１７０した状態で保持することができる。したがって、コネクターケーブル１２０のコネクター端部の接続箇所を傷める虞もない。
【００２３】
更に、フレーム部品１１５の抱き合わせ片１６０ａ，１６ｂの上方の幅広面１１５ａには、固定ベルト取付孔１８０ａ，１８０ｂが設けられている。この固定ベルトの取付孔１８０ａ，１８０ｂに図示しない固定ベルト（例えば、インシュロック）を巻きつけ、コネクターケーブル１２０をフレーム部品１１５の幅広面１１５ａに、強固に固定することができる。なお、取付孔１８０ａ，１８０ｂを使用すれば、タイラップでも固定が可能である。組立作業では、予めコネクターケーブル１２０を抱き合わせ片１６０ａ，１６０ｂに保持し、更に図示しない固定ベルトでコネクターケーブル１２０をフレーム部材１１５に固定した状態で、コネクター接続装置１００の第２コネクター１１０を基板２１０の第１コネクター２２０に取り付けるようにする。
【００２４】
次に、フレーム部品１１５の反対側の端部に取り付けられる固定ネジ１９０による固定機構部について説明する。フレーム部品１１５の反対側の端部は、幅広面１１５ａとは９０度角度が異なるコ字状の形状であって、その幅広面１１５ａ側に凹部１９０ａが形成され、その凹部１９０の中に固定ネジ１９０が取り付けられるように成形されている。固定ネジが取り付けられるフレーム部品１１５の端部には、図７（ａ）に示すように長孔１９０ｂが形成されている。この長孔１９０ｂにより、寸法のクリアランスを持たせることができるため、固定ネジ１９０の位置の寸法のばらつきを吸収することができる。固定ネジ１９０の長孔１９０ｂを挟んだ反対側には、固定ネジ抜け止めワッシャー１９０ｃが取り付けられ、固定ネジ１９０が抜け落ちないようになっている。固定ネジ抜け止めワッシャー１９０ｃの材質は、ナイロンや金属である。そして、固定ネジ１９０は、筐体２００の側壁などに設けられた取付ナット２３０にネジ止めされる。
【００２５】
コネクター接続装置１００の第２コネクター１１０を基板２１０の第１コネクター２２０に取り付けた状態だけでは、大きな振動などを受けた場合にはコネクター接続が外れることも予想される。しかしながら、固定ネジ１９０によって、コネクター接続装置１００を筐体２００の側壁に固定することで、大きな振動にも耐えうる固定機構が得られる。これにより、コネクター接続装置１００による接続をより安定化することが可能となる。
【００２６】
このような形状のコネクター接続装置１００を用いれば、図１及び図２に示すように筐体２００の底面のマザーボード基板２１０の端部に取り付けられる第１コネクター２２０に外部信号のコネクターケーブル１２０が接続される第２コネクター１１０を簡単に接続することができる。即ち、コネクター接続装置１００の上端を持ち、挿入操作又は引抜操作を行うことにより、コネクターケーブル１２０の端部に接続される第２コネクター１１０と基板上の第１コネクター２２０との間で簡単に挿抜することができる。したがって、狭い接続空間であっても簡単にコネクター接続を行うことができる。また、外力によりコネクター接続が抜け外れる虞が無い。
【００２７】
このようなコネクター接続装置１００を用いることにより、組立作業の改善のみならず、接触安定性を得ることができる。即ち、電気的接触安定性を維持できる（妨害電波（ＥＭＣ）の対策、アースがとれる）。物理的な接触安定性を維持できる（振動の対策）。また、ナイロンワッシャー１９０ｃの取り外し、コネクターケーブル１２０をシールド線の膜で覆うことにより、グラウンド（アース）をとることもできる。
【００２８】
なお、本発明は上術した実施形態及びその変形例に限定されるものではなく、発明の要旨を逸脱しない範囲内で、従来周知の技術を用いて様々な形態に変形して実施することができる。また、それらも特許請求項の範囲に記載された発明とその均等の範囲に含まれるものである。
【符号の説明】
【００２９】
１００…コネクター接続装置、１１０…第２コネクター、１１０ａ…水平ブロック、１１０ｂ…垂直ブロック、１１５…フレーム部品、１１５ａ…幅広面、１２０…コネクターケーブル、１３０…コネクター固定バネ部品、１３０ａ，１３０ｂ…アーム部、１３０ｃ…当接部、１３０ｄ…孔、１４０ａ，１４０ｂ…サイド孔、１５０…最端部、１６０ａ，１６０ｂ…抱き合わせ片、１７０…湾曲部、１８０ａ，１８０ｂ…固定ベルト取付孔、１９０…固定ネジ、１９０ａ…凹部、１９０ｂ…長孔、１９０ｃ…固定ネジ抜け止めワッシャー
２００…電子機器筺体、２１０…マザーボード基板、２２０…第１コネクター、２３０…取付ナット
【図１】
2014197484.tif 000003
【図２】
2014197484.tif 000004
【図３】
2014197484.tif 000005
【図４】
2014197484.tif 000006
【図５】
2014197484.tif 000007
【図６】
2014197484.tif 000008
【図７】
2014197484.tif 000009
【図８】
2014197484.tif 000010